(57)【要約】【課題】  既に内線番号が設定されている電話機に、他の利用者が一時的にその電話機に他の利用者の内線番号を設定して利用可能な内線電話システムを提供する。【解決手段】  利用者の個人識別番号が電話機１−１〜１−３に入力されると、電話機１−１〜１−３の内線番号を個人識別番号で識別される利用者の内線番号に設定する内線電話システムにおいて、電話機１−１〜１−３は、電話機１−１〜１−３の内線番号が第１の利用者の内線番号に設定されている場合に第２の利用者の個人識別番号が入力された時に第１の利用者の内線番号に代わって第２の利用者の内線番号に設定変更する。【選択図】      図１
2009044360.tif 000002
【特許請求の範囲】
【請求項１】
利用者の個人識別番号が電話機に入力されると、前記電話機の内線番号を前記個人識別番号で識別される利用者の内線番号に設定する内線電話システムであって、
前記電話機は、前記電話機の内線番号が第１の利用者の内線番号に設定されている場合に第２の利用者の個人識別番号が入力された時に前記第１の利用者の内線番号に代わって前記第２の利用者の内線番号に設定変更するための処理を行う手段を有することを特徴とする内線電話システム。
【請求項２】
前記電話機は、再度、前記第２の利用者の英数字からなる個人識別番号が入力されると、前記電話機の内線番号に代わって、個人識別番号で識別される前記第１の利用者の内線番号に設定することを特徴とする請求項１記載の内線電話システム。
【請求項３】
システム内で利用可能な複数の内線番号を管理し、個々の内線番号が付与されたそれぞれの電話機を管理するＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）を含み、
前記電話機は、前記内線番号に設定変更するための処理として、少なくとも前記第２の利用者の内線番号と内線番号変更の信号とを前記ＩＰ−ＰＢＸに送信することを特徴とする請求項１または請求項２記載の内線電話システム。
【請求項４】
前記電話機は、前記内線番号の設定変更時に、前記第２の利用者の内線番号に最優先の優先順位のフラグを付与して保持するとともに、前記第１の利用者の内線番号に次位の優先順位のフラグを付与して保持することを特徴とする請求項１から請求項３のいずれか記載の内線電話システム。
【請求項５】
前記電話機は、入力される個人識別番号で識別される内線番号に前記最優先の優先順位のフラグが付与されている時に、当該個人識別番号で識別される利用者の内線番号の前記電話機の内線番号としての設定を解除し、前記次位の優先順位のフラグが付与された内線番号を前記電話機の内線番号として設定するための処理を行うことを特徴とする請求項４記載の内線電話システム。
【請求項６】
前記個人識別番号で識別される利用者のスケジュール情報を少なくとも含む個人情報を蓄積する手段を備えた利用者管理サーバを含み、
前記電話機は、前記利用者の個人識別番号を基に前記利用者管理サーバから前記個人情報を取得して表示することを特徴とする請求項１から請求項５のいずれか記載の内線電話システム。
【請求項７】
利用者の個人識別番号が入力されると、自機の内線番号を前記個人識別番号で識別される利用者の内線番号に設定する電話機であって、
自機の内線番号が第１の利用者の内線番号に設定されている場合に第２の利用者の個人識別番号が入力された時に前記第１の利用者の内線番号に代わって前記第２の利用者の内線番号に設定変更するための処理を行う手段を有することを特徴とする電話機。
【請求項８】
再度、前記第２の利用者の英数字からなる個人識別番号が入力されると、自機の内線番号に代わって、個人識別番号で識別される前記第１の利用者の内線番号に設定することを特徴とする請求項７記載の電話機。
【請求項９】
前記内線番号に設定変更するための処理として、少なくとも前記第２の利用者の内線番号と内線番号変更の信号とを、システム内で利用可能な複数の内線番号を管理し、個々の内線番号が付与されたそれぞれの電話機を管理するＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）に送信することを特徴とする請求項７または請求項８記載の電話機。
【請求項１０】
前記内線番号の設定変更時に、前記第２の利用者の内線番号に最優先の優先順位のフラグを付与して保持するとともに、前記第１の利用者の内線番号に次位の優先順位のフラグを付与して保持することを特徴とする請求項７から請求項９のいずれか記載の電話機。
【請求項１１】
入力される個人識別番号で識別される内線番号に前記最優先の優先順位のフラグが付与されている時に、当該個人識別番号で識別される利用者の内線番号の自機の内線番号としての設定を解除し、前記次位の優先順位のフラグが付与された内線番号を自機の内線番号として設定するための処理を行うことを特徴とする請求項１０記載の電話機。
【請求項１２】
前記個人識別番号で識別される利用者のスケジュール情報を少なくとも含む個人情報を蓄積する手段を備えた利用者管理サーバから前記個人情報を前記利用者の個人識別番号を基に取得して表示することを特徴とする請求項７から請求項１１のいずれか記載の電話機。
【請求項１３】
利用者の個人識別番号が電話機に入力されると、前記電話機の内線番号を前記個人識別番号で識別される利用者の内線番号に設定する内線電話システムに用いる内線番号設定方法であって、
前記電話機が、前記電話機の内線番号が第１の利用者の内線番号に設定されている場合に第２の利用者の個人識別番号が入力された時に前記第１の利用者の内線番号に代わって前記第２の利用者の内線番号に設定変更するための処理を実行することを特徴とする内線番号設定方法。
【請求項１４】
前記電話機が、再度、前記第２の利用者の英数字からなる個人識別番号が入力されると、前記電話機の内線番号に代わって、個人識別番号で識別される前記第１の利用者の内線番号に設定することを特徴とする請求項１３記載の内線番号設定方法。
【請求項１５】
前記内線電話システムに、システム内で利用可能な複数の内線番号を管理し、個々の内線番号が付与されたそれぞれの電話機を管理するＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）を設け、
前記電話機が、前記内線番号に設定変更するための処理として、少なくとも前記第２の利用者の内線番号と内線番号変更の信号とを前記ＩＰ−ＰＢＸに送信することを特徴とする請求項１３または請求項１４記載の内線番号設定方法。
【請求項１６】
前記電話機が、前記内線番号の設定変更時に、前記第２の利用者の内線番号に最優先の優先順位のフラグを付与して保持するとともに、前記第１の利用者の内線番号に次位の優先順位のフラグを付与して保持することを特徴とする請求項１３から請求項１５のいずれか記載の内線番号設定方法。
【請求項１７】
前記電話機が、入力される個人識別番号で識別される内線番号に前記最優先の優先順位のフラグが付与されている時に、当該個人識別番号で識別される利用者の内線番号の前記電話機の内線番号としての設定を解除し、前記次位の優先順位のフラグが付与された内線番号を前記電話機の内線番号として設定するための処理を実行することを特徴とする請求項１６記載の内線番号設定方法。
【請求項１８】
前記内線電話システムに、前記個人識別番号で識別される利用者のスケジュール情報を少なくとも含む個人情報を蓄積する手段を備えた利用者管理サーバを設け、
前記電話機が、前記利用者の個人識別番号を基に前記利用者管理サーバから前記個人情報を取得して表示することを特徴とする請求項１３から請求項１７のいずれか記載の内線番号設定方法。
【発明の詳細な説明】
【技術分野】
【０００１】
本発明は内線電話システム、電話機及び内線番号設定方法に関し、特に内線電話システムにおける電話機への内線番号の設定に関する。
【背景技術】
【０００２】
個人スペースの位置が限定されない職場では、個人が座って仕事をする場所が自由であり、座った場所のコンピュータ端末、電話機を、個人のコンピュータ端末、電話端末として利用している。
【０００３】
電話機には個人の内線番号が設定されるため、個人が座って仕事をする期間は、その個人が座った場所の電話機に、その個人の内線番号が設定されている必要がある。
【０００４】
この問題を解決するために、本発明に関連する電話システムとしては、利用者がＩＰ（Ｉｎｔｅｒｎｅｔ  Ｐｒｏｔｏｃｏｌ）電話装置に付属するカードリーダにＩＣ（集積回路）カードの情報を読込ませると、ＩＰ電話装置が利用者の識別情報を取得し、その利用者の識別情報とＩＰアドレスとをＩＰ電話サーバに送信し、ＩＰ電話サーバがＩＰ電話装置からの利用者の識別情報とＩＰアドレスとを利用者状態情報として記憶し、ＩＰ電話接続要求の受信時にこの利用者状態情報を基に呼接続を行う方法が提案されている（例えば、特許文献１参照）。
【特許文献１】特開２００６−１４０６９４号公報
【発明の開示】
【発明が解決しようとする課題】
【０００５】
本発明に関連する電話内線システムでは、個々の電話機に付与される内線番号が、それぞれの個人の利用者に１対１で対応しているので、内線番号によってそれぞれの個人の利用者を指定して発呼することができる。しかしながら、内線番号を電話機に設定すると、簡単には電話機の内線番号を変更することができない。
【０００６】
例えば、電話機の近くにいる利用者は、一時的にその電話機に当該利用者の内線番号を設定して利用することができない。つまり、第１の利用者の内線番号を設定している電話機を、一時的にその電話機に第２の利用者の内線番号を設定して利用することはできない。当然、この場合には、電話機に一時的に利用している利用者の個人情報を表示することもできない。尚、上記の特許文献１に記載の技術でも、これらの問題を解決することはできない。
【０００７】
そこで、本発明の目的は上記の問題点を解消し、既に内線番号が設定されている電話機に、他の利用者が一時的にその電話機に他の利用者の内線番号を設定して利用することができる内線電話システム、電話機及び内線番号設定方法を提供することにある。
【課題を解決するための手段】
【０００８】
本発明による内線電話システムは、利用者の個人識別番号が電話機に入力されると、前記電話機の内線番号を前記個人識別番号で識別される利用者の内線番号に設定する内線電話システムであって、
前記電話機は、前記電話機の内線番号が第１の利用者の内線番号に設定されている場合に第２の利用者の個人識別番号が入力された時に前記第１の利用者の内線番号に代わって前記第２の利用者の内線番号に設定変更するための処理を行う手段を備えている。
【０００９】
本発明による電話機は、利用者の個人識別番号が入力されると、自機の内線番号を前記個人識別番号で識別される利用者の内線番号に設定する電話機であって、
自機の内線番号が第１の利用者の内線番号に設定されている場合に第２の利用者の個人識別番号が入力された時に前記第１の利用者の内線番号に代わって前記第２の利用者の内線番号に設定変更するための処理を行う手段を備えている。
【００１０】
本発明による内線番号設定方法は、利用者の個人識別番号が電話機に入力されると、前記電話機の内線番号を前記個人識別番号で識別される利用者の内線番号に設定する内線電話システムに用いる内線番号設定方法であって、
前記電話機が、前記電話機の内線番号が第１の利用者の内線番号に設定されている場合に第２の利用者の個人識別番号が入力された時に前記第１の利用者の内線番号に代わって前記第２の利用者の内線番号に設定変更するための処理を実行している。
【発明の効果】
【００１１】
本発明は、上記のような構成及び動作とすることで、既に内線番号が設定されている電話機に、他の利用者が一時的にその電話機に他の利用者の内線番号を設定して利用することができるという効果が得られる。
【発明を実施するための最良の形態】
【００１２】
次に、本発明の実施の形態について図面を参照して説明する。図１は本発明の実施の形態による内線電話システムの構成例を示すブロック図である。図１には、企業内、組織内、団体内で利用される電話内線システムを示している。
【００１３】
図１において、本発明の実施の形態による内線電話システムは、利用者が内線、外線の電話を掛ける、または受けるために使用する複数の電話機１−１〜１−３と、電話内線システムの利用者情報を管理する利用者管理サーバ２と、内線電話を管理し、電話機１−１〜１−３間の接続を指示するＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）３とから構成されており、それぞれがネットワーク１００で接続されている。
【００１４】
個々の電話機１−１〜１−３に付与される内線番号は、それぞれの個人またはグループの利用者に１対１で対応している。したがって、内線番号によってそれぞれの個人またはグループの利用者を指定して発呼することができる。以下の実施の形態では、内線番号がそれぞれの個人の利用者に対応している例を示す。
【００１５】
利用者管理サーバ２は、制御装置２１と、利用者データベース２２と、利用者個人情報データベース２３とからなる。
【００１６】
制御装置２１は、利用者管理サーバ２の動作を制御する。利用者データベース２２は、電話内線システムを利用する複数の利用者の情報をデータベース化して保有している。利用者個人情報データベース２３は、アプリ識別番号、アプリパスワードと、内線システムに属する複数の利用者のスケジュール情報等の個人情報を、相互に関連図けられた１組のデータとしてデータベース化して記憶している。
【００１７】
ＩＰ−ＰＢＸ３は、ＳＩＰ（Ｓｅｓｓｉｏｎ  Ｉｎｉｔｉａｔｉｏｎ  Ｐｒｏｔｏｃｏｌ）で動作し、電話内線システムに属する電話機１−１〜１−３同士、または電話内線システムに属する電話機１−１〜１−３と外部の電話機（図示せず）とを接続する。また、ＩＰ−ＰＢＸ３は、電話内線システム内で利用可能な複数の内線番号を管理し、個々の内線番号が付与されたそれぞれの電話機１−１〜１−３を管理する。ＩＰ−ＰＢＸ３は制御装置３１と、内線番号データベース３２と、電話機登録データベース３３とからなる。
【００１８】
制御装置３１は、ＩＰ−ＰＢＸ３の動作を制御する。また、制御装置３１は、内線または外線の電話機から、ＩＰ−ＰＢＸ３に利用者の内線番号に呼接続要求があると、利用者の内線番号をキーにして電話機登録データベース３３を検索し、利用者の電話機の識別番号、利用者の電話機のＩＰアドレス、利用者の電話機のドメインネームを出力し、内線または外線の電話機と利用者の電話機１−１〜１−３とを呼接続する。
【００１９】
内線番号データベース３２は、個々の利用者に対応した内線番号、内線番号の利用認証を行うための内線番号利用パスワードを、相互に関連図けられた１組のデータとして予めデータベース化して記憶している。
【００２０】
電話機登録データベース３３は、電話機１−１〜１−３から送信され、個々の電話機１−１〜１−３に対応した利用者の内線番号、電話機の識別番号、電話機のドメインネーム、電話機のＩＰアドレスを、相互に関連図けられた１組のデータとしてデータベース化して記憶する。
【００２１】
図２は図１に示す電話機１−１〜１−３の構成例を示すブロック図である。図２では、電話機１−１〜１−３が同一構成のため、電話機１と表記している。この電話機１は、ソフトフォン制御装置１１と、アプリ処理装置１２と、メモリ１３と、表示器１４と、ハンドセット１５と、スイッチ／ボタン部１６と、カードリーダ１７とから構成されている。
【００２２】
ソフトフォン制御装置３１は、電話機１の接続制御や、音声通信／画像通信の制御を行うとともに、電話音声処理等を行う。アプリ処理装置１２は、利用者の個人情報処理等のアプリケーションを処理する。メモリ１３は、電話機１の設定情報を記憶するとともに、利用者の識別番号、内線番号、内線番号利用パスワード、アプリ識別番号、アプリパスワードを受信し、優先順位のフラグを、相互に関連付けられた１組のデータとしてデータベース化して記憶する。
【００２３】
表示器１４は、スイッチ／ボタン部１６で入力されたデータの表示、音声通信／画像通信の状態表示、アプリ処理装置１２で処理されたアプリケーションの表示を行う。ハンドセット１５は音声の送受信、スイッチ／ボタン部１６は利用者のデータ入力、カードリーダ１７はＩＣ（集積回路）カード（図示せず）に格納された情報の読み取りに、それぞれ使用される。
【００２４】
図３は図１の利用者データベース２２のデータベース項目を示す図である。図３において、利用者データベース２２は、電話内線システムを利用する複数の利用者の情報をデータベース化して保有している。つまり、利用者データベース２２は、利用者の英数字からなる識別番号、個々の利用者に対応した内線番号、ＩＰ−ＰＢＸ３で個々の内線番号の使用許可の認証に用いられる内線番号利用パスワード、利用者個人情報データベース２３で利用者の個人情報の識別に用いられるアプリ識別番号、利用者個人情報データベース２３で利用者の個人情報の使用許可の認証に用いられるアプリパスワードを、相互に関連付けられた１組のデータとしてデータベース化して記憶している。
【００２５】
図４は図１の利用者個人情報データベース２３のデータベース項目を示す図である。図４において、利用者個人情報データベース２３は、アプリ識別番号、アプリパスワードと、内線システムに属する複数の利用者のスケジュール情報等の個人情報を、相互に関連付けられた１組のデータとしてデータベース化して記憶している。個人情報は、ネットワーク１００に接続された端末（図示せず）によって利用者が編集し、利用者個人情報データベース２３に記憶されている。
【００２６】
図５は図１の内線番号データベース３２のデータベース項目を示す図である。図５において、内線番号データベース３２は、個々の利用者に対応した内線番号、内線番号の利用認証を行うための内線番号利用パスワードを、相互に関連付けられた１組のデータとして予めデータベース化して記憶している。
【００２７】
図６は図１の電話機登録データベース３３のデータベース項目を示す図である。図６において、電話機登録データベース３３は、電話機１−１〜１−３から送信され、個々の電話機１−１〜１−３に対応した利用者の内線番号、電話機の識別番号、電話機のドメインネーム、電話機のＩＰアドレスを、相互に関連付けられた１組のデータとしてデータベース化して記憶する。
【００２８】
図７は図２のメモリ１３のデータベース項目を示す図である。図７において、メモリ１３は、利用者の識別番号、内線番号、内線番号利用パスワード、アプリ識別番号、アプリパスワードを受信し、優先順位のフラグを、相互に関連付けられた１組のデータとしてデータベース化して記憶する。
【００２９】
図８は本発明の実施の形態における電話機１−１の内線番号の設定状態を示す図であり、図９及び図１０は本発明の実施の形態において出力された優先順位のフラグが付与された利用者の識別番号のリストを示す図であり、図１１〜図１８は本発明の実施の形態による内線電話シすテムの動作を示すシーケンスチャートである。これら図１〜図１８を参照して本発明の実施の形態による内線電話シすテムの動作について説明する。
【００３０】
図８は図１の電話機１−１を利用者＃１と利用者＃２とがそれぞれ利用する際の各状態を示している。図１１及び図１２は図８の状態＃１における動作を示し、図１３及び図１４は図８の状態＃２における動作を示し、図１５及び図１６は図８の状態＃３における動作を示し、図１７は図８の状態＃４における動作を示し、図１８は個人情報の表示に関する動作を示している。
【００３１】
図８において、状態＃１では利用者＃１が電話機１−１の利用を開始し、状態＃２では利用者＃２が利用者＃１に代わって電話機１−１の利用を開始し、状態＃３では利用者＃２が電話機１−１の利用を中止し、代わって利用者＃１が電話機１−１の利用を復活し、状態＃４では利用者＃１が電話機１−１の利用を中止する。以下、それぞれの状態＃１〜＃４における動作について説明する。尚、電話機１−１は、上述したように、図２に示す電話機１と同様の構成となっている。
【００３２】
最初に、状態＃１では、利用者＃１が電話機１−１の利用を開始するために、利用者＃１の内線番号が電話機１−１に設定される。利用者＃１は、電話機１−１に付属するカードリーダ１７を用いて、ＩＣカード（図示せず）に記録された利用者＃１の英数字からなる識別番号を電話機１−１に読込ませる（図１１のａ１）。
【００３３】
電話機１−１のソフトフォン制御装置１１は、メモリ１３を検索して、優先順位のフラグが付与された利用者の識別番号のリストを出力する（図１１のａ２）。ソフトフォン制御装置１１は、優先順位のフラグが付与された利用者の識別番号の出力が０件であることを確認すると（図１１のａ３）、利用者＃１を電話機１−１の新規の内線利用者と認識し、利用者＃１の内線番号を電話機１−１の内線電話として設定する処理を開始する（図１１のａ４）。電話機１−１のソフトフォン制御装置１１は、利用者＃１の識別番号をネットワーク１００を介して利用者管理サーバ２に送信する（図１１のａ５）。
【００３４】
利用者管理サーバ２の制御装置２１は、受信した利用者＃１の識別番号をキーにして利用者データベース２２を検索し（図１１のａ６）、利用者＃１の識別番号に関連付けられた１組のデータとして、利用者＃１の識別番号、利用者＃１の内線番号、内線番号利用パスワード、アプリ識別番号、アプリパスワードを出力する（図１１のａ７）。
【００３５】
利用者管理サーバ２の制御装置２１は、出力した利用者＃１の識別番号、利用者＃１の内線番号、内線番号利用パスワード、アプリ識別番号、アプリパスワードを、ネットワーク１００を介して電話機１−１に送信する（図１１のａ８）。
【００３６】
電話機１−１のソフトフォン制御装置１１は、利用者＃１の識別番号、利用者＃１の内線番号、内線番号利用パスワード、アプリ識別番号、アプリパスワードを受信すると（図１１のａ９）、優先順位１位のフラグを付与し、相互に関連付けられた１組のデータとしてデータベース化してメモリ１３に記憶する（図１１のａ１０）。電話機１−１のソフトフォン制御装置１１は、受信した利用者＃１の内線番号を電話機１−１の内線番号に設定する（図１２のａ１１）。
【００３７】
さらに、電話機１−１のソフトフォン制御装置１１は、利用者＃１の内線番号、内線番号利用パスワードと、電話機１−１の識別番号、電話機１−１のＩＰアドレス、電話機１−１のドメインネームと、電話機１−１の内線利用開始の信号とをＩＰ−ＰＢＸ３に送信する（図１２のａ１２）。
【００３８】
ＩＰ−ＰＢＸ３の制御装置３１は、利用者＃１の内線番号、内線番号利用パスワードと、電話機１−１の識別番号、電話機１−１のＩＰアドレス、電話機１−１のドメインネームと、電話機１−１の内線利用開始の信号とを受信する。制御装置３１は、利用者＃１の内線番号、内線番号利用パスワードを、予め内線番号データベース３２に相互に関連付けられた１組のデータとして記憶されている内線番号、内線番号利用パスワードに一致するかを検索する（図１２のａ１３）。
【００３９】
制御装置３１は、検索結果が一致しているならば、利用者＃１の内線番号の使用を許可し（図１２のａ１４）、利用者＃１の内線番号と、電話機１−１の識別番号と、電話機１−１のＩＰアドレスと、電話機１−１のドメインネームとを相互に関連付けられた１組のデータとしてデータベース化し、電話機登録データベース３３に記憶する（図１２のａ１５）。
【００４０】
制御装置３１は、内線または外線の電話機からＩＰ−ＰＢＸ３に、利用者＃１の内線番号に対する呼接続要求があると、利用者＃１の内線番号をキーにして電話機登録データベース３３を検索し、電話機１−１の識別番号、電話機１−１のＩＰアドレス、電話機１−１のドメインネームを出力する（図１２のａ１６）。
【００４１】
制御装置３１は、出力された電話機１−１の識別番号、または電話機１−１のＩＰアドレス、または電話機１−１のドメインネームを用いて、電話内線システムで利用者＃１の内線番号が設定された電話機１−１を探し出し、その電話機１−１と内線または外線の電話機とを呼接続する（図１２のａ１７，ａ１８）。
【００４２】
続いて、状態＃２では、利用者＃１とは異なる利用者＃２が代わって電話機１−１を利用するため、利用者＃１の内線番号の設定に代わって利用者＃２の内線番号の設定に変更される例を示す。
【００４３】
利用者＃２は、カードリーダ１７を用いて、ＩＣカードに記憶された利用者＃２の英数字からなる識別番号を電話機１−１に読込ませる（図１３のｂ１）。電話機１−１のソフトフォン制御装置１１は、メモリ１３を検索して、優先順位のフラグが付与された利用者の識別番号のリストを出力する（図１３のｂ２）。この時、出力される優先順位のフラグが付与された利用者の識別番号のリストを図９に示す。
【００４４】
電話機１−１のソフトフォン制御装置１１は、図９に示すように、リスト出力は１件のみで、優先順位１位のフラグが付与された利用者の識別番号が利用者＃１の識別番号であり、利用者＃２の識別番号が記憶されていないことを確認する（図１３のｂ３）。
【００４５】
すると、電話機１−１のソフトフォン制御装置１１は、利用者＃１の代わりに利用者＃２が電話機１−１を内線電話として利用を開始したと認識し、電話機１−１の内線番号を利用者＃１の内線番号から利用者＃２の内線番号に設定変更する処理を開始する（図１３のｂ４）。電話機１−１のソフトフォン制御装置１１は、利用者＃２の識別番号をネットワーク１００を介して利用者管理サーバ２に送信する（図１３のｂ５）。
【００４６】
利用者管理サーバ２の制御装置２１は、受信した利用者＃２の識別番号をキーにして利用者データベース２２を検索し（図１３のｂ６）、利用者＃２の識別番号、利用者＃２の内線番号、内線番号利用パスワード、アプリ識別番号、アプリパスワードを出力する（図１３のｂ７）。制御装置２１は、出力した利用者＃２の識別番号、利用者＃２の内線番号、内線番号利用パスワード、アプリ識別番号、アプリパスワードをネットワーク１００を介して電話機１−１に送信する（図１３のｂ８）。
【００４７】
電話機１−１のソフトフォン制御装置１１は、利用者＃２の識別番号、利用者＃２の内線番号、内線番号利用パスワード、アプリ識別番号、アプリパスワードを受信すると（図１３のｂ９）、優先順位１位のフラグを付与し、相互に関連付けられた１組のデータとしてデータベース化してメモリ１３に記憶する（図１３のｂ１０）。
【００４８】
電話機１−１のソフトフォン制御装置１１は、１組のデータとしてメモリ１３に記憶されている利用者＃１の識別番号、利用者＃１の内線番号、内線番号利用パスワード、アプリ識別番号、アプリパスワードは、フラグを優先順位１位から優先順位２位に変更し、１組のデータとしてメモリ１３に再記憶する（図１４のｂ１１）。
【００４９】
電話機１−１のソフトフォン制御装置１１は、現在設定されている利用者＃１の内線番号に代わって、利用者＃２の内線番号を電話機１−１の内線番号に設定する（図１４のｂ１２）。さらに、電話機１−１のソフトフォン制御装置１１は、利用者＃２の内線番号、内線番号利用パスワードと、電話機１−１の識別番号、電話機１−１のＩＰアドレス、電話機１−１のドメインネームと、電話機１−１の内線番号変更の信号とをＩＰ−ＰＢＸ３に送信する（図１４のｂ１３）。
【００５０】
ＩＰ−ＰＢＸ３の制御装置３１は、利用者＃２の内線番号、内線番号利用パスワードと、電話機１−１の識別番号、電話機１−１のＩＰアドレス、電話機１−１のドメインネームと、電話機１−１の内線番号変更の信号とを受信する。制御装置３１は、検索結果が利用者＃２の内線番号、内線番号利用パスワードを、予め内線番号データベース３２に相互に関連付けられた１組のデータとして記憶されている内線番号、内線番号利用パスワードに一致するかを検索する（図１４のｂ１４）。
【００５１】
制御装置３１は、検索結果が一致しているならば、利用者＃２の内線番号の使用を許可し（図１４のｂ１５）、利用者＃２の内線番号と、電話機１−１の識別番号、電話機１−１のＩＰアドレス、電話機１−１のドメインネームとを、既に電話機登録データベース３３に記憶されている利用者＃１の内線番号と、電話機１−１の識別番号、電話機１−１のＩＰアドレス、電話機１−１のドメインネームとに換えて、相互に関連付けられた１組のデータとしてデータベース化し、電話機登録データベース３３に記憶する（図１４のｂ１６）。
【００５２】
したがって、制御装置３１は、内線または外線の電話機から利用者＃２の内線番号に呼接続要求があると、利用者＃２の内線番号をキーにして、電話機登録データベース３３を検索し、電話機１−１の識別番号、電話機１−１のＩＰアドレス、電話機１−１のドメインネームを出力する（図１４のｂ１７）。
【００５３】
制御装置３１は、出力された電話機１−１の識別番号、または電話機１−１のＩＰアドレス、または電話機１−１のドメインネームを用いて、電話内線システムで利用者＃２の内線番号が設定された電話機１−１を探し出し、内線または外線の電話機と呼接続する（図１４のｂ１８，ｂ１９）。
【００５４】
続いて、状態＃３では、利用者＃２の電話機１−１の使用中止に伴い、電話機１−１の利用者＃２の内線番号の設定を解除し、代わりに電話機１−１に利用者＃１の内線番号の設定が復活し、利用者＃１が電話機１−１を使用する例を示す。
【００５５】
利用者＃２は、電話機１−１を利用者＃２の内線電話としての使用を中止するために、カードリーダ１７を用いて、ＩＣカードに記録された利用者＃２の英数字からなる識別番号を電話機１−１に読込ませる（図１５のｃ１）。
【００５６】
電話機１−１のソフトフォン制御装置１１は、メモリ１３を検索して、優先順位のフラグが付与された利用者の識別番号のリストを出力する（図１５のｃ２）。この出力された優先順位のフラグが付与された利用者の識別番号のリストを図１０に示す。
【００５７】
電話機１−１のソフトフォン制御装置１１は、図１０に示すように、利用者＃２の識別番号に優先順位１位のフラグが付与され、さらに利用者＃１の識別番号に優先順位２位のフラグが付与されていることから、利用者＃２の内線電話機の使用中止と判断し（図１５のｃ３）、電話機１−１の利用者＃２の内線番号の設定を解除し、代わりに優先順位２位の利用者＃１の内線番号を電話機１−１の内線電話として設定する処理を開始する。
【００５８】
電話機１−１のソフトフォン制御装置１１は、優先順位１位の利用者＃２の内線番号の設定を中止し、優先順位２位の利用者＃１の内線番号、内線番号利用パスワード、アプリ識別番号、アプリパスワードをメモリ１３から出力し、利用者＃１の内線番号を電話機１−１の内線番号に設定する（図１５のｃ４）。
【００５９】
さらに、電話機１−１のソフトフォン制御装置１１は、利用者＃１の内線番号、内線番号利用パスワードと、電話機１−１の識別番号、電話機１−１のＩＰアドレス、電話機１−１のドメインネームと、電話機１−１の内線番号変更の信号とをＩＰ−ＰＢＸ３に送信する（図１５のｃ５）。
【００６０】
ＩＰ−ＰＢＸ３の制御装置３１は、利用者＃１の内線番号、内線番号利用パスワードと、電話機１−１の識別番号、電話機１−１のＩＰアドレス、電話機１−１のドメインネームと、電話機１−１の内線番号変更の信号とを受信する。制御装置３１は、利用者＃２の内線番号、内線番号利用パスワードを、予め内線番号データベース３２に、相互に関連付けられた１組のデータとして記憶されている内線番号、内線番号利用パスワードに一致するかを検索する（図１５のｃ６）。
【００６１】
制御装置３１は、検索結果が一致しているならば、利用者＃１の内線番号と、電話機１−１の識別番号、電話機１−１のＩＰアドレス、電話機１−１のドメインネームとを、既に電話機登録データベース３３に記憶されている利用者＃２の内線番号と、電話機１−１の識別番号、電話機１−１のＩＰアドレス、電話機１−１のドメインネームに換えて、相互に関連付けられた１組のデータとして、電話機登録データベース３３に記憶する（図１５のｃ７）。
【００６２】
したがって、制御装置３１は、内線または外線の電話機から利用者＃１の内線番号に呼接続要求があると、利用者＃１の内線番号をキーにして、電話機登録データベース３３を検索し、電話機１−１の識別番号、電話機１−１のＩＰアドレス、電話機１−１のドメインネームを出力する（図１６のｃ８）。
【００６３】
制御装置３１は、出力された電話機１−１の識別番号、または電話機１−１のＩＰアドレス、または電話機１−１のドメインネームを用いて、電話内線システムで利用者＃２の内線番号が設定された電話機１−１を探し出し、内線または外線の電話機と呼接続する（図１６のｃ９，ｃ１０）。
【００６４】
続いて、状態＃４では、利用者＃１が電話機１−１の利用を中止し、利用者＃１の内線番号の設定が解除される例を示す。
【００６５】
利用者＃１は、電話機１−１を利用者＃１の内線電話としての使用を中止するために、カードリーダ１７を用いて、ＩＣカードに記録された利用者＃１の英数字からなる識別番号を電話機１−１に読込ませる（図１７のｄ１）。
【００６６】
電話機１−１のソフトフォン制御装置１１は、メモリ１３を検索して、優先順位のフラグが付与された利用者の識別番号のリストを出力する（図１７のｄ２）。この時、出力された優先順位のフラグが付与された利用者の識別番号のリストを図９に示す。
【００６７】
電話機１−１のソフトフォン制御装置１１は、リスト出力が１件のみで、利用者＃１の識別番号に優先順位１位のフラグが付与されていることから、利用者＃２の内線電話機の使用中止と判断し（図１７のｄ３）、電話機１−１の利用者＃２の内線番号の設定を解除する処理を開始する。
【００６８】
電話機１−１のソフトフォン制御装置１１は、優先順位１位の利用者＃１の内線番号の設定を解除する（図１７のｄ４）。さらに、電話機１−１のソフトフォン制御装置１１は、利用者＃１の内線番号、内線番号利用パスワードと、電話機１−１の内線利用中止の信号とをＩＰ−ＰＢＸ３に送信する（図１７のｄ５）。
【００６９】
ＩＰ−ＰＢＸ３の制御装置３１は、利用者＃１の内線番号、内線番号利用パスワードと、電話機１−１の内線利用中止の信号とを受信する。制御装置３１は、利用者＃１の内線番号、内線番号利用パスワードを、予め内線番号データベース３２に、相互に関連付けられた１組のデータとして記憶されている内線番号、内線番号利用パスワードに一致するかを検索する（図１７のｄ６）。
【００７０】
制御装置３１は、検索結果が一致しているならば、電話機登録データベース３３に相互に関連付けられた１組のデータとして既に記憶されている利用者＃１の内線番号と、電話機１−１の識別番号、電話機１−１のＩＰアドレス、電話機１−１のドメインネームの情報を消去する（図１７のｄ７）。
【００７１】
内線電話システムにおいて、電話機１−１の表示器１４に利用者の個人情報を表示する場合（図１８のｅ１）、電話機１−１のアプリ処理装置１２は、電話機１−１のメモリ１３に記憶されているフラグが優先順位１位のアプリ識別番号、アプリパスワードを読出すと（図１８のｅ２）、ネットワーク１００を介して利用者管理サーバ２にアプリ識別番号、アプリパスワードを送信する（図１８のｅ３）。
【００７２】
利用者管理サーバ２の制御装置２１は、アプリ識別番号、アプリパスワードを受信すると、アプリ識別番号、アプリパスワードを、予め利用者個人情報データベース２３に、相互に関連付けられた１組のデータとして記憶されているアプリ識別番号、アプリパスワードに一致するかを検索する（図１８のｅ４）。
【００７３】
制御装置２１は、検索結果が一致しているならば、利用者のスケジュール情報等の個人情報を出力し（図１８のｅ５）、電話機１−１に送信する（図１８のｅ６）。
【００７４】
電話機１−１のアプリ処理装置１２は、利用者のスケジュール情報等の個人情報を受信すると、個人情報を表示可能な情報に変更処理し、表示器１４に表示する（図１８のｅ７）。
【００７５】
このように、本実施の形態では、電話機１−１〜１−３の近くにいる利用者が、一時的にその電話機１−１〜１−３に利用者の内線番号を設定して利用することができるとともに、既に内線番号が設定されている電話機１−１〜１−３に、他の利用者が一時的にその電話機１−１〜１−３に他の利用者の内線番号を設定して利用することができる。
【００７６】
すなわち、本発明は、利用者＃１が電話機１−１〜１−３に付属するカードリーダ１７に利用者＃１のＩＣカードを読込ませることによって、電話機１−１〜１−３が利用者＃１の識別情報を入手し、その識別情報を基に利用者管理サーバ２から利用者＃１の内線番号を入手し、ＩＰ−ＰＢＸ３に利用者＃１の内線番号を電話機１−１〜１−３の内線番号として設定することによって、利用者＃１の内線番号が設定された電話機１−１〜１−３として利用することができる。
【００７７】
また、本発明では、利用者＃２が電話機１−１〜１−３に付属するカードリーダ１７に利用者＃２のＩＣカードを読込ませることによって、電話機１−１〜１−３が利用者＃２の識別情報を入手し、その識別情報を基に利用者管理サーバ２から利用者＃２の内線番号を入手し、ＩＰ−ＰＢＸ３に利用者＃２の内線番号を利用者＃１の内線番号に代わって、電話機１−１〜１−３の内線番号として設定することによって、利用者＃１に代わって利用者＃２の内線番号が設定された電話機１−１〜１−３として利用することができる。
【００７８】
さらに、本発明では、電話機１−１〜１−３が入手した利用者の識別情報を利用して、利用者管理サーバ２から利用者の個人情報を入手し、電話機１−１〜１−３に表示することによって、電話機１−１〜１−３に一時的に利用している利用者の個人情報を表示することもできる。
【図面の簡単な説明】
【００７９】
【図１】本発明の実施の形態による内線電話システムの構成例を示すブロック図である。
【図２】図１に示す電話機の構成例を示すブロック図である。
【図３】図１の利用者データベースのデータベース項目を示す図である。
【図４】図１の利用者個人情報データベースのデータベース項目を示す図である。
【図５】図１の内線番号データベースのデータベース項目を示す図である。
【図６】図１の電話機登録データベースのデータベース項目を示す図である。
【図７】図２のメモリのデータベース項目を示す図である。
【図８】本発明の実施の形態における電話機の内線番号の設定状態を示す図である。
【図９】本発明の実施の形態において出力された優先順位のフラグが付与された利用者の識別番号のリストを示す図である。
【図１０】本発明の実施の形態において出力された優先順位のフラグが付与された利用者の識別番号のリストを示す図である。
【図１１】本発明の実施の形態による内線電話シすテムの動作を示すシーケンスチャートである。
【図１２】本発明の実施の形態による内線電話シすテムの動作を示すシーケンスチャートである。
【図１３】本発明の実施の形態による内線電話シすテムの動作を示すシーケンスチャートである。
【図１４】本発明の実施の形態による内線電話シすテムの動作を示すシーケンスチャートである。
【図１５】本発明の実施の形態による内線電話シすテムの動作を示すシーケンスチャートである。
【図１６】本発明の実施の形態による内線電話シすテムの動作を示すシーケンスチャートである。
【図１７】本発明の実施の形態による内線電話シすテムの動作を示すシーケンスチャートである。
【図１８】本発明の実施の形態による内線電話シすテムの動作を示すシーケンスチャートである。
【符号の説明】
【００８０】
１，１−１〜１−３  電話機
２  利用者管理サーバ
３  ＩＰ−ＰＢＸ
１１  ソフトフォン制御装置
１２  アプリ処理装置
１３  メモリ
１４  表示器
１５  ハンドセット
１６  スイッチ／ボタン部
１７  カードリーダ
２１，３１  制御装置
２２  利用者データベース
２３  利用者個人情報データベース
３２  内線番号データベース
３３  電話機登録データベース
１００  ネットワーク
【図１】
2009044360.tif 000003
【図２】
2009044360.tif 000004
【図３】
2009044360.tif 000005
【図４】
2009044360.tif 000006
【図５】
2009044360.tif 000007
【図６】
2009044360.tif 000008
【図７】
2009044360.tif 000009
【図８】
2009044360.tif 000010
【図９】
2009044360.tif 000011
【図１０】
2009044360.tif 000012
【図１１】
2009044360.tif 000013
【図１２】
2009044360.tif 000014
【図１３】
2009044360.tif 000015
【図１４】
2009044360.tif 000016
【図１５】
2009044360.tif 000017
【図１６】
2009044360.tif 000018
【図１７】
2009044360.tif 000019
【図１８】
2009044360.tif 000020